(57)【要約】      （修正有）【課題】治具を加工用テーブルに固定する作業やワークの角度調整が極めて容易になり、各種ワークを簡単に固定することができるワーク固定用治具を提供する。【解決手段】固定顎部の長手方向に沿った円柱形状を成し、固定顎部と移動顎部との間に周側面が圧着固定される固定体１０を設ける。該固定体１０の側面上部で該側面の長手方向に沿って連結され、ワークを載置せしめる載置板２０を設ける。固定体１０の回動に伴って載置板２０が角度調整自在になるように設ける。載置板２０上に載置したワークを固定せしめる固定具３０を設ける。載置板２０の上面に前記固定顎部と平行な複数の固定溝２１を形成する。該固定溝２１に嵌合してワークの側縁部に係止する立方体状の係止定規４０を設ける。【選択図】図１
0003162063.tif 000002
【実用新案登録請求の範囲】
【請求項１】
ワークを固定せしめるバイスの横長の固定顎部と、該固定顎部に平行に圧着せしめるブロック状の移動顎部とが予め装着されているテーブルで使用するワーク固定用治具であって、固定顎部の長手方向に沿った円柱形状を成し、固定顎部と移動顎部との間に周側面が圧着固定される固定体と、該固定体の側面上部で該側面の長手方向に沿って連結され、ワークを載置せしめる載置板とで構成され、固定顎部と移動顎部との間で回動自在になるように挟着された固定体の回動に伴って載置板が角度調整自在になるように設けたことを特徴とするワーク固定用治具。
【請求項２】
前記載置板に複数の調整ネジ孔が形成され、該調整ネジ孔にネジ止めして前記載置板上に載置したワークを該載置板に圧着して固定せしめる固定具を設けると共に、前記載置板の上面に前記固定顎部と平行な複数の固定溝が形成され、該固定溝に嵌合してスライド自在に移動し、ワークの側縁部に係止せしめる立方体状の係止定規を設けた請求項１記載のワーク固定用治具。
【請求項３】
前記載置板の長手端部のいずれか一方に、該載置板の上に載置したワークの端部を係止せしめる係止片を設けた請求項１又は２記載のワーク固定用治具。
【請求項４】
前記載置板は、前記固定体の長手方向に沿って形成された断面Ｌ状の嵌合溝と、該嵌合溝に嵌合した載置板の一端部とを固定ネジにてネジ止め固定した請求項１乃至３いずれか記載のワーク固定用治具。
【考案の詳細な説明】
【技術分野】
【０００１】
本考案は、例えばフライス盤用テーブルのバイスに、工作物（以下、ワークと称する）を固定する際に使用するワーク固定用治具に係り、ワークを自由な角度で固定することができるワーク固定用治具に関するものである。
【背景技術】
【０００２】
ワークを加工用テーブルに角度自在に保持するものとして、例えば特許文献１に記載の工作物固定装置が提案されている。この装置では、工作機械の加工用テーブル上に固定する基台と、この基台の上に固定される固定ブロックと、ワークを固定ブロックに押圧する稼動ブロックと、回転軸を設けた傾斜支板とを備え、固定ブロックと稼動ブロックとの間に傾斜支板を設置し、この傾斜支板の回転軸を回すことで、傾斜支持板上のワークの角度を調整するものである。
【０００３】
また、特許文献２に金属部品用加工治具が記載されている。この治具は、特にリードフレーム用金型のパンチ部品などの加工に使用するものであり、ワークの金型物品の外形に合わせて研削加工された円柱状受け部材を設け、この円柱状受け部材にワークを載置するものである。
【０００４】
更に、特許文献３に記載されている作業装置には、加工用テーブルの上面に設ける傾斜自在な傾斜台座と、加工用テーブルに載置して傾斜台座の傾斜状態を設定するブロックとを備えた作業装置が示されている。この作業装置によると、傾斜台座の一端を、加工用テーブルの上面に固定した蝶番ブロックに固定し、この蝶番ブロックの傾斜に伴って傾斜台座が傾斜するものである。
【先行技術文献】
【特許文献】
【０００５】
【特許文献１】特開平６‐９１４６１号公報
【特許文献２】特開平４‐３３１０３３号公報
【特許文献３】実公平７‐２３１５０号公報
【考案の概要】
【考案が解決しようとする課題】
【０００６】
加工用テーブル上で、ワークを角度自在に保持する従来の治具は、いずれも複雑な構造を有しており、これらの治具を加工用テーブルに固定する作業や、ワークの角度を調整する作業に多くの手間を要するものであった。
【０００７】
すなわち、特許文献１の工作物固定装置では、工作機械の加工用テーブル上に基台を固定する作業と、この基台の上に固定ブロックと稼動ブロックとを固定作業と、更に、固定ブロックと稼動ブロックとの間に傾斜支持板を設置し、この傾斜支持板の回転軸を回してワークの角度を調整する作業とが必要であるから、ワークを治具に設置する作業から角度を調整する作業までに、極めて多くの作業が必要になる。しかも、ワークの固定は、稼動ブロックと固定ブロックとの間に挟んで押圧するものなので、この工作物固定装置で使用できるワークは、固定ブロックにて押圧可能な形状に限られている。
【０００８】
また、特許文献２の金属部品用加工治具においても使用可能なワークが特定のものに限定されている。この治具では、特にリードフレーム用金型のパンチ部品の加工に使用するものであり、円柱状受け部材はワークとなるパンチ部品の形状に合わせて研削加工されている。そのため、この円柱状受け部材で支持できるワークはパンチ部品に限定されたものになっている。
【０００９】
さらに、特許文献３の作業装置では、ワークの種類に対応可能な傾斜台座を有する構造を有している。ところが、この傾斜台座の角度を調整するには、加工用テーブルの上面に予め蝶番ブロックを固定する作業と、この蝶番ブロックに傾斜台座の一端を揺動自在に連結する作業と、更に、傾斜台座の他端部側の下面を支持するブロックを加工用テーブルに固定する作業とが必要になる。しかも、傾斜台座の角度を調整したあとは、必ず傾斜台座の他端部側の下面を支持するブロックを加工用テーブルに固定する必要があり、傾斜台座の角度調整作業に多くの手間を要する。更に、傾斜台座の調整角度は、台座の下面を支持するブロックの高さによって決定されるので、調整角度の微調整も困難にならざるを得ない。
【００１０】
このように、従来の治具は、いずれも複雑な構造を有することから、これらの治具を加工用テーブルに固定する作業や、ワークの角度を調整する作業に多くの手間を要するものであった。そこで、本考案は、上述の課題を解消すべく案出されたもので、治具を加工用テーブルに固定する作業やワークの角度調整が極めて容易になり、しかも、固定可能なワークが限定されず、各種のワークを簡単に固定することができるワーク固定用治具の提供を目的とするものである。
【課題を解決するための手段】
【００１１】
上述の目的を達成すべく本考案の第１の手段は、ワークＷを固定せしめるバイスＱの横長の固定顎部Ｑ１と、該固定顎部Ｑ１に平行に圧着せしめるブロック状の移動顎部Ｑ２とが予め装着されているテーブルで使用するワーク固定用治具であって、固定顎部Ｑ１の長手方向に沿った円柱形状を成し、固定顎部Ｑ１と移動顎部Ｑ２との間に周側面が圧着固定される固定体１０と、該固定体１０の側面上部で該側面の長手方向に沿って連結され、ワークＷを載置せしめる載置板２０とで構成され、固定顎部Ｑ１と移動顎部Ｑ２との間で回動自在になるように挟着された固定体１０の回動に伴って載置板２０が角度調整自在になるように設けたことにある。
【００１２】
第２の手段は、前記載置板２０に複数の調整ネジ孔２２が形成され、該調整ネジ孔２２にネジ止めして前記載置板２０上に載置したワークＷを該載置板２０に圧着して固定せしめる固定具３０を設けると共に、前記載置板２０の上面に前記固定顎部Ｑ１と平行な複数の固定溝２１が形成され、該固定溝２１に嵌合してスライド自在に移動し、ワークＷの側縁部に係止せしめる立方体状の係止定規４０を設けている。
【００１３】
第３の手段において、前記載置板２０の長手端部のいずれか一方に、該載置板２０の上に載置したワークＷの端部を係止せしめる係止片２３を設けたものとする。
【００１４】
第４の手段において、前記載置板２０は、前記固定体１０の長手方向に沿って形成された断面Ｌ状の嵌合溝１１と、該嵌合溝１１に嵌合した載置板２０の一端部とを固定ネジ２４にてネジ止め固定したことにある。
【考案の効果】
【００１５】
本考案の請求項１の如く、バイスＱの内部で固定体１０の軸を中心として回動自在になる固定体１０に伴って載置板２０の角度が調整自在になるから、従来の治具のように、治具を固定する多くの作業や、治具の角度を調整するための複雑な作業は全く不要になり、本考案治具の取付けから角度調整までの一連の作業を極めて簡略化できる。したがって、本考案治具を加工用テーブルに固定する作業や、ワークの角度調整作業が極めて容易である。しかも、固定体１０の回転でワークＷの角度を調整する構造なので、従来の治具の角度調整範囲が０〜４５度程度であるところ、本考案の角度調整範囲は０〜９０度まで広げることができるようになった。
【００１６】
また、請求項２のように、固定具３０を設けているので、載置板２０に載置したワークＷを任意の位置で固定する作業も容易に行える。しかも、係止定規４０によって、バイスＱの固定顎部Ｑ１に対してワークＷを平行に固定することができるから、平行度を考慮したセッティングも簡単、且つ、正確に行うことが可能である。この結果、例えばフライス加工が必要な各種ワークＷをフライス用のテーブルに正確にセッティングすることができる。
【００１７】
請求項３の如く、載置板２０の上に載置したワークＷの長手端部を係止せしめる係止片２３を設けたことで、例えば長尺なワークＷでも簡単に設置することができる。
【００１８】
請求項４のように、載置板２０は、固定体１０の嵌合溝１１に固定ネジ２４にてネジ止め固定するものであるから、構成が極めてシンプルである。この結果、角度調整やワークＷの固定作業の作業性が良好になり、しかも、安価な提供が可能である。
【図面の簡単な説明】
【００１９】
【図１】本考案の一実施例を示す分解斜視図である。
【図２】本考案載置板の角度を調整する状態を示す斜視図である。
【図３】本考案の使用状態を示す斜視図である。
【図４】本考案の他の使用状態を示す斜視図である。
【考案を実施するための形態】
【００２０】
このように本考案によると、治具を加工用テーブルに固定する作業やワークの角度調整作業が極めて容易になり、しかも、使用可能なワークが限定されずに各種ワークを固定することができるなどといった目的を実現した。
【実施例】
【００２１】
以下、本考案の一実施例を説明する。本考案は、例えば、フライス盤のテーブルに予め装着されているバイスＱを利用して固定するものである。このバイスＱは、横長の固定顎部Ｑ１と、該固定顎部Ｑ１に圧着せしめるブロック状の移動顎部Ｑ２とでワークＷを挟着するように構成されている（図２参照）。
【００２２】
本考案治具は、このバイスＱに圧着固定される固定体１０を有する（図２参照）。この固定体１０は、固定顎部Ｑ１の長手方向に沿った円柱形状を成しており、固定顎部Ｑ１と移動顎部Ｑ２との間で、固定体１０の軸を中心として円周方向に回動するように設けている。
【００２３】
この固定体１０の側面上部に載置板２０を装着している（図１参照）。この載置板２０は、ワークＷを載置せしめる部材で、固定体１０の回動に伴って載置板２０の角度が調整自在になるように設けている。図示例の載置板２０は、固定体１０の長手方向に沿って形成された断面Ｌ状の嵌合溝１１と、該嵌合溝１１に嵌合した載置板２０の一端部とを固定ネジ２４にてネジ止め固定するものである。
【００２４】
そして、載置板２０に複数の調整ネジ孔２２を形成し、該調整ネジ孔２２にネジ止めする固定具３０を設ける（図１参照）。この固定具３０は、載置板２０上に載置したワークＷを載置板２０方向に圧着して固定せしめるものである。図示の固定具３０は、ワークＷの上に係止する略ブロック状を成した係止爪体３１と、調整ネジ孔２２にネジ止めする固定ネジ体３２とで構成している。係止爪体３１には、固定ネジ体３２のボルト３２Ａをスライド挿通せしめる貫通孔３１Ａが形成されており、ボルト３２Ａにネジ止めした係止ナット３２Ｂにて係止爪体３１を緊締する。このとき、係止爪体３１と載置板２０との間に、別体で設けたブロック状のスペーサー３１Ｂを介することで、係止爪体３１の高さを調整している。このスペーサー３１Ｂは、高さや幅を変えて複数種類用意しておき、各種のワークＷに最適なスペーサー３１Ｂを選択できるようにしている（図３、図４参照）。
【００２５】
図３は、長尺のワークＷに沿ってテーパー加工を施す状態を示している。このとき、ワークＷの端部が残る隅削りが必要なテーパー加工にも適している。また、図４は薄板のワークＷにテーパー加工を施す状態を示している。このように、調整ネジ孔２２の位置と共に、固定具３０の数やスペーサー３１Ｂを選択することで、載置板２０に固定するワークＷの形状や寸法等は変更可能となり、各種のワークＷに対応することができる。
【００２６】
更に、載置板２０の上面に、固定顎部Ｑ１と平行な複数の固定溝２１が形成されている（図１参照）。そして、この固定溝２１に嵌合してスライド自在に移動する立方体状の係止定規４０を設けている。この係止定規４０は、ワークＷの側縁部に係止させることで、このワークＷをバイスＱの固定顎部Ｑ１に対して並行に設置できるようにしている（図３、図４参照）。このように、固定溝２１と係止定規４０とを利用することで、載置板２０上のワークＷの設置位置をワンタッチで簡単に位置決め固定することができ、しかも正確である。
【００２７】
また、載置板２０の長手端部のいずれか一方に、該載置板２０の上に載置したワークＷの端部を係止せしめる係止片２３を設けている（図１参照）。この係止片２３は、特に長尺のワークＷを設置するときでも、ワークＷの端部に係止片２３を係止することで、容易に設置することができる。図示例では、載置板２０の端部に回転自在に止着しており、必要に応じて載置板２０上に起こして使用できるようにしている。
【００２８】
本考案を使用する作業手順は次のとおりである。まず、本考案治具を設置して載置板２０の角度を選択する作業は、バイスＱの間に挟んだ固定体１０を回転させ、移動顎部Ｑ２の上面と載置板２０の上面とに合わせた分度器Ｒで載置板２０の角度を調整する。その後、移動顎部Ｑ２を固定顎部Ｑ１方向に圧着して固定体１０をしっかりと固定する。
【００２９】
次に、載置板２０上のワークＷを固定する作業は、選択した調整ネジ孔２２に固定具３０を装着し、この固定具３０でワークＷを固定する。このとき、固定溝２１に嵌合させた係止定規４０を基準にしてワークＷを設置できるので、平行度を考慮したセッティングもワンタッチで容易に行える。
【産業上の利用可能性】
【００３０】
本考案によると、特に、フライス盤用テーブルのバイスに固定して使用するのに好適である。また、テーブルやバイスＱはフライス盤以外のものにも使用することが可能であり、本考案治具の用途が限定されるものではない。
【符号の説明】
【００３１】
Ｑ  バイス
Ｑ１  固定顎部
Ｑ２  移動顎部
Ｒ  分度器
１０  固定体
１１  嵌合溝
１２  固定ネジ
２０  載置板
２１  固定溝
２２  調整ネジ孔
２３  係止片
３０  固定具
３１  係止爪体
３１Ａ  貫通孔
３１Ｂ  スペーサー
３２  固定ネジ体
３２Ａ  ボルト
３２Ｂ  係止ナット
４０  係止定規
【図１】
0003162063.tif 000003
【図２】
0003162063.tif 000004
【図３】
0003162063.tif 000005
【図４】
0003162063.tif 000006